(57)【要約】【課題】本発明は自動的にお茶を入れるコップを開示した。【解決手段】コップ本体及び前記コップ本体の中に設置される上に開口したコップチャンバを含み、前記コップ本体の中にはリードスクリューチャンバが設置され、前記リードスクリューチャンバが上に開口しており、前記リードスクリューチャンバの内壁の中にはリミットスライド溝が設置され、本発明は構成が簡単で、操作が便利で、茶葉を本発明の中の指定位置に置いた後で水を入れてお茶を入れることができ、指定温度に達した時、即ち水温が茶葉を覚ますことに適した温度以下まで下がった時、本発明のコップの壁が自動的に下がることができ、同時に活動できるコップの底部が自動的に上昇してコップ内のお茶を押し出し、コップを傾けてお茶を出す時に埃や混ざりものがコップの内壁に付けることを防止し、お茶のきれいさを大幅に向上させる。【選択図】図１
2020175098.tif 000002
【特許請求の範囲】
【請求項１】
コップ本体及び前記コップ本体の中に設置される上に開口したコップチャンバを含み、前記コップ本体の中にはリードスクリューチャンバが設置され、前記リードスクリューチャンバが上に開口しており、前記リードスクリューチャンバの内壁の中にはリミットスライド溝が設置され、前記リミットスライド溝の中にはリミットリングがスライドできるように設置され、前記リミットリングの内壁にはコップ壁が固定的に設置され、前記コップ壁の中には下に開口したネジ山チャンバが左右対称的に設置され、前記リードスクリューチャンバの中にはリードスクリューが設置され、前記リードスクリューが前記ネジ山チャンバとネジ山により結合され、前記リードスクリューが回転する時、前記コップ壁を連動させて下降させることができ、前記コップチャンバの内壁にはガイド溝が左右対称的に設置され、前記ガイド溝の中にはガイドブロックがスライドできるように設置され、前記ガイド溝の上側にはスライドリミットブロックが設置され、前記ガイドブロックの間には上昇ブロックが固定的に設置され、前記上昇ブロックにはティーバッグ機構が設置され、前記上昇ブロックの中には上下を貫通しているネジ山孔が設置され、前記ネジ山孔の中にはネジ山ロッドがネジ山により連結され、前記ネジ山ロッドと前記リードスクリューとが同時に回転し始め、前記ネジ山ロッドが回転して前記上昇ブロックを上昇させてコップ内の水を持ち上げて流出させることを特徴とする自動的にお茶を入れるコップ。
【請求項２】
前記ティーバッグ機構は前記ティーバッグを含み、前記ティーバッグの中には茶チャンバが設置され、前記茶チャンバの内壁には複数個の外部空間に連通している抜き孔が設置され、前記茶チャンバの底壁には上下を貫通している原料装入口が設置され、前記原料装入口の左壁の中にはスライドチャンバが設置され、前記原料装入口の右壁の中には収納溝が設置され、前記スライドチャンバの中には閉鎖板がスライドできるように設置され、前記閉鎖板の左端面と前記スライドチャンバの左壁との間には押圧ばねが連結され、前記閉鎖板の下端面には回しブロックが固定的に設置され、前記閉鎖板の右端が前記収納溝の中に伸びており、これにより前記茶チャンバを閉鎖し、前記ティーバッグの外端面には定位溝が左右対称的に設置され、前記上昇ブロックの中には取り付け溝が設置され、前記取り付け溝の内壁の中にはばねチャンバが左右対称的に設置され、前記ばねチャンバの中には押圧ブロックがスライドできるように設置され、前記押圧ブロックと前記ばねチャンバの内壁との間にはばねが連結され、使用する時に前記回しブロックにより前記閉鎖板を左へスライドさせ、前記原料装入口を通して茶葉を前記茶チャンバの中に入れ、前記ティーバッグを前記取り付け溝の中に力を入れて押し、前記押圧ブロックを前記定位溝の中に挿入して前記ティーバッグを固定することを特徴とする請求項１に記載の自動的にお茶を入れるコップ。
【請求項３】
前記コップ本体の中には動力チャンバが設置され、前記動力チャンバの底壁の中にはモータが固定的に設置され、前記モータの上端には動力軸が動力が伝達できるように連結され、前記動力軸には主プーリが固定的に設置され、前記リードスクリューの下端が前記動力チャンバの中に伸びており、前記リードスクリューの下端には副プーリが固定的に設置され、前記副プーリと前記主プーリとの間がベルトにより連結され、前記主プーリの上端面が前記ネジ山ロッドの下端と固定的に連結され、前記上昇ブロックの上端面には前記モータと電気的に接続される温度センサーが固定的に設置されることを特徴とする請求項１に記載の自動的にお茶を入れるコップ。
【請求項４】
前記コップ壁の上端には上端面が弧状である密封ブロックが固定的に設置され、前記密封ブロックの上側に蓋が置かれており、前記蓋の下端面には密封溝が設置され、前記密封溝と前記密封ブロックとが当接してより良い密封作用を果たし、前記蓋の下端面には挿入孔が設置され、前記挿入孔の中にはスプラインスリーブが回転できるように設置され、前記ネジ山ロッドが前記スプラインスリーブとスプラインにより結合され、前記蓋の上端面には取っ手が固定的に設置されることを特徴とする請求項１に記載の自動的にお茶を入れるコップ。
【発明の詳細な説明】
【技術分野】
【０００１】
本発明はコップ技術分野を取り上げて、具体的には自動的にお茶を入れるコップである。
【背景技術】
【０００２】
茶葉が輸送、貯蔵、加工などの過程を経て、茶葉の中に混ざりものや埃などが入っている可能性があるので、お茶を入れる時、茶葉の中の埃や混ざりものを取り除く必要があり、従来は一般的に「洗茶」の方式を採用し、即ち一煎目をすぐに流して捨てることであり、しかし、お茶を捨てる過程の中、水面に浮かぶ埃や混ざりものがコップの内壁に付けやすいため、二煎目を入れる時にお茶の中には比較的に多い混ざりものが存在し、上記の欠点について、本発明を提出した。
【先行技術文献】
【特許文献】
【０００３】
【特許文献１】中国特許出願公開第１０８６０６５７８号明細書
【発明の概要】
【発明が解決しようとする課題】
【０００４】
上記技術の不足について、本発明は自動的にお茶を入れるコップを提供し、上記欠点を解消することを目的とする。
【課題を解決するための手段】
【０００５】
本発明の自動的にお茶を入れるコップは、コップ本体及び前記コップ本体の中に設置される上に開口したコップチャンバを含み、前記コップ本体の中にはリードスクリューチャンバが設置され、前記リードスクリューチャンバが上に開口しており、前記リードスクリューチャンバの内壁の中にはリミットスライド溝が設置され、前記リミットスライド溝の中にはリミットリングがスライドできるように設置され、前記リミットリングの内壁にはコップ壁が固定的に設置され、前記コップ壁の中には下に開口したネジ山チャンバが左右対称的に設置され、前記リードスクリューチャンバの中にはリードスクリューが設置され、前記リードスクリューが前記ネジ山チャンバとネジ山により結合され、前記リードスクリューが回転する時、前記コップ壁を連動させて下降させることができ、前記コップチャンバの内壁にはガイド溝が左右対称的に設置され、前記ガイド溝の中にはガイドブロックがスライドできるように設置され、前記ガイド溝の上側にはスライドリミットブロックが設置され、前記ガイドブロックの間には上昇ブロックが固定的に設置され、前記上昇ブロックにはティーバッグ機構が設置され、前記上昇ブロックの中には上下を貫通しているネジ山孔が設置され、前記ネジ山孔の中にはネジ山ロッドがネジ山により連結され、前記ネジ山ロッドと前記リードスクリューとが同時に回転し始め、前記ネジ山ロッドが回転して前記上昇ブロックを上昇させてコップ内の水を持ち上げて流出させる。
【０００６】
好ましくは、前記ティーバッグ機構は前記ティーバッグを含み、前記ティーバッグの中には茶チャンバが設置され、前記茶チャンバの内壁には複数個の外部空間に連通している抜き孔が設置され、前記茶チャンバの底壁には上下を貫通している原料装入口が設置され、前記原料装入口の左壁の中にはスライドチャンバが設置され、前記原料装入口の右壁の中には収納溝が設置され、前記スライドチャンバの中には閉鎖板がスライドできるように設置され、前記閉鎖板の左端面と前記スライドチャンバの左壁との間には押圧ばねが連結され、前記閉鎖板の下端面には回しブロックが固定的に設置され、前記閉鎖板の右端が前記収納溝の中に伸びており、これにより前記茶チャンバを閉鎖し、前記ティーバッグの外端面には定位溝が左右対称的に設置され、前記上昇ブロックの中には取り付け溝が設置され、前記取り付け溝の内壁の中にはばねチャンバが左右対称的に設置され、前記ばねチャンバの中には押圧ブロックがスライドできるように設置され、前記押圧ブロックと前記ばねチャンバの内壁との間にはばねが連結され、使用する時に前記回しブロックにより前記閉鎖板を左へスライドさせ、前記原料装入口を通して茶葉を前記茶チャンバの中に入れ、前記ティーバッグを前記取り付け溝の中に力を入れて押し、前記押圧ブロックを前記定位溝の中に挿入して前記ティーバッグを固定する。
【０００７】
好ましくは、前記コップ本体の中には動力チャンバが設置され、前記動力チャンバの底壁の中にはモータが固定的に設置され、前記モータの上端には動力軸が動力が伝達できるように連結され、前記動力軸には主プーリが固定的に設置され、前記リードスクリューの下端が前記動力チャンバの中に伸びており、前記リードスクリューの下端には副プーリが固定的に設置され、前記副プーリと前記主プーリとの間がベルトにより連結され、前記主プーリの上端面が前記ネジ山ロッドの下端と固定的に連結され、前記上昇ブロックの上端面には前記モータと電気的に接続される温度センサーが固定的に設置される。
【０００８】
好ましくは、前記コップ壁の上端には上端面が弧状である密封ブロックが固定的に設置され、前記密封ブロックの上側に蓋が置かれており、前記蓋の下端面には密封溝が設置され、前記密封溝と前記密封ブロックとが当接してより良い密封作用を果たし、前記蓋の下端面には挿入孔が設置され、前記挿入孔の中にはスプラインスリーブが回転できるように設置され、前記ネジ山ロッドが前記スプラインスリーブとスプラインにより結合され、前記蓋の上端面には取っ手が固定的に設置される。
【発明の効果】
【０００９】
以上により、本発明は構成が簡単で、操作が便利で、茶葉を本発明の中の指定位置に置いた後で水を入れてお茶を入れることができ、指定温度に達した時、即ち水温が茶葉を覚ますことに適した温度以下まで下がった時、本発明のコップの壁が自動的に下がることができ、同時に活動できるコップの底部が自動的に上昇してコップ内のお茶を押し出し、コップを傾けてお茶を出す時に埃や混ざりものがコップの内壁に付けることを防止し、お茶のきれいさを大幅に向上させる。
【図面の簡単な説明】
【００１０】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１１】
【図１】図１は本発明の自動的にお茶を入れるコップの全体構成模式図
【図２】図２は図１の中のＡ−Ａにおける構成模式図
【図３】図３は図１の中のＢにおける構成模式図
【図４】図４は図１の中のＣにおける構成模式図
【図５】図５は図１の中のＤ−Ｄにおける構成模式図
【発明を実施するための形態】
【００１２】
以下は付図説明と実施例を交えて本発明について更に説明し、本発明の方式は以下の実施例を含むが、これのみに限定されるものではない。    
【００１３】
図１〜５を参照し、本発明装置の自動的にお茶を入れるコップは、コップ本体１０及び前記コップ本体１０の中に設置される上に開口したコップチャンバ１３を含み、前記コップ本体１０の中にはリードスクリューチャンバ１２が設置され、前記リードスクリューチャンバ１２が上に開口しており、前記リードスクリューチャンバ１２の内壁の中にはリミットスライド溝１１が設置され、前記リミットスライド溝１１の中にはリミットリング１４がスライドできるように設置され、前記リミットリング１４の内壁にはコップ壁１７が固定的に設置され、前記コップ壁１７の中には下に開口したネジ山チャンバ１６が左右対称的に設置され、前記リードスクリューチャンバ１２の中にはリードスクリュー１５が設置され、前記リードスクリュー１５が前記ネジ山チャンバ１６とネジ山により結合され、前記リードスクリュー１５が回転する時、前記コップ壁１７を連動させて下降させることができ、前記コップチャンバ１３の内壁にはガイド溝２４が左右対称的に設置され、前記ガイド溝２４の中にはガイドブロック３９がスライドできるように設置され、前記ガイド溝２４の上側にはスライドリミットブロック２３が設置され、前記ガイドブロック３９の間には上昇ブロック３４が固定的に設置され、前記上昇ブロック３４にはティーバッグ機構１００が設置され、前記上昇ブロック３４の中には上下を貫通しているネジ山孔３５が設置され、前記ネジ山孔３５の中にはネジ山ロッド２２がネジ山により連結され、前記ネジ山ロッド２２と前記リードスクリュー１５とが同時に回転し始め、前記ネジ山ロッド２２が回転して前記上昇ブロック３４を上昇させてコップ内の水を持ち上げて流出させる。
【００１４】
有益的には、前記ティーバッグ機構１００は前記ティーバッグ２６を含み、前記ティーバッグ２６の中には茶チャンバ２７が設置され、前記茶チャンバ２７の内壁には複数個の外部空間に連通している抜き孔２５が設置され、前記茶チャンバ２７の底壁には上下を貫通している原料装入口４７が設置され、前記原料装入口４７の左壁の中にはスライドチャンバ４４が設置され、前記原料装入口４７の右壁の中には収納溝４８が設置され、前記スライドチャンバ４４の中には閉鎖板４６がスライドできるように設置され、前記閉鎖板４６の左端面と前記スライドチャンバ４４の左壁との間には押圧ばね４５が連結され、前記閉鎖板４６の下端面には回しブロック４９が固定的に設置され、前記閉鎖板４６の右端が前記収納溝４８の中に伸びており、これにより前記茶チャンバ２７を閉鎖し、前記ティーバッグ２６の外端面には定位溝４３が左右対称的に設置され、前記上昇ブロック３４の中には取り付け溝５０が設置され、前記取り付け溝５０の内壁の中にはばねチャンバ４０が左右対称的に設置され、前記ばねチャンバ４０の中には押圧ブロック４２がスライドできるように設置され、前記押圧ブロック４２と前記ばねチャンバ４０の内壁との間にはばね４１が連結され、使用する時に前記回しブロック４９により前記閉鎖板４６を左へスライドさせ、前記原料装入口４７を通して茶葉を前記茶チャンバ２７の中に入れ、前記ティーバッグ２６を前記取り付け溝５０の中に力を入れて押し、前記押圧ブロック４２を前記定位溝４３の中に挿入して前記ティーバッグ２６を固定する。
【００１５】
有益的には、前記コップ本体１０の中には動力チャンバ５１が設置され、前記動力チャンバ５１の底壁の中にはモータ３１が固定的に設置され、前記モータ３１の上端には動力軸３０が動力が伝達できるように連結され、前記動力軸３０には主プーリ２９が固定的に設置され、前記リードスクリュー１５の下端が前記動力チャンバ５１の中に伸びており、前記リードスクリュー１５の下端には副プーリ３３が固定的に設置され、前記副プーリ３３と前記主プーリ２９との間がベルト３２により連結され、前記主プーリ２９の上端面が前記ネジ山ロッド２２の下端と固定的に連結され、前記上昇ブロック３４の上端面には前記モータ３１と電気的に接続される温度センサー３８が固定的に設置される。
【００１６】
有益的には、前記コップ壁１７の上端には上端面が弧状である密封ブロック１８が固定的に設置され、前記密封ブロック１８の上側に蓋１９が置かれており、前記蓋１９の下端面には密封溝２１が設置され、前記密封溝２１と前記密封ブロック１８とが当接してより良い密封作用を果たし、前記蓋１９の下端面には挿入孔５２が設置され、前記挿入孔５２の中にはスプラインスリーブ５３が回転できるように設置され、前記ネジ山ロッド２２が前記スプラインスリーブ５３とスプラインにより結合され、前記蓋１９の上端面には取っ手２０が固定的に設置される。
【００１７】
上記の自動的にお茶を入れるコップの実現方法は、以下のステップを含む：
【００１８】
使用する時、蓋１９を取り外し、モータ３１を始動し、モータ３１がネジ山ロッド２２を連動させて回転させ、ネジ山ロッド２２が回転して上昇ブロック３４を上昇させ、上昇ブロック３４がスライドリミットブロック２３の下側まで上昇した時、モータ３１を停止し、力を込めてティーバッグ２６を外へ抜き出し、回しブロック４９により閉鎖板４６をスライドさせ、茶葉を原料装入口４７により茶チャンバ２７の中に入れ、茶葉を入れた後でティーバッグ２６を取り付け溝５０の中に力を入れて押し、押圧ブロック４２を定位溝４３に挿入することによりティーバッグ２６を固定し、モータ３１を始動して逆方向へ回転させ、上昇ブロック３４を復帰させ、この時、水を入れることができ、洗茶及び茶葉を覚ますことを行い、水温が茶葉を覚ますことに適した温度以下まで下がった時、温度センサー３８がシグナルを出してモータ３１を始動して、モータ３１が主プーリ２９とベルト３２により副プーリ３３を連動させて回転させ、副プーリ３３がリードスクリュー１５を連動させて回転させてコップ壁１７を下降させ、ネジ山ロッド２２が回転して上昇ブロック３４を上昇させ、これにより、コップ内の水が流出し、洗茶の目的を達成し、水が排出された後、モータ３１が逆方向へ回転してコップ壁１７を復帰させ、上昇ブロック３４が復帰し、この時、再び水を入れてお茶を入れれば良い。
【００１９】
スライドリミットブロック２３を取り外した後で上昇ブロック３４を取り外すことができ、この時、コップを十分に洗浄することができる。
【００２０】
以上により、本発明は構成が簡単で、操作が便利で、茶葉を本発明の中の指定位置に置いた後で水を入れてお茶を入れることができ、指定温度に達した時、即ち水温が茶葉を覚ますことに適した温度以下まで下がった時、本発明のコップの壁が自動的に下がることができ、同時に活動できるコップの底部が自動的に上昇してコップ内のお茶を押し出し、コップを傾けてお茶を出す時に埃や混ざりものがコップの内壁に付けることを防止し、お茶のきれいさを大幅に向上させる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175098.tif 000003
【図２】
2020175098.tif 000004
【図３】
2020175098.tif 000005
【図４】
2020175098.tif 000006
【図５】
2020175098.tif 000007
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
コップ本体及び前記コップ本体の中に設置される上に開口したコップチャンバを含み、前記コップ本体の中にはリードスクリューチャンバが設置され、前記リードスクリューチャンバが上に開口しており、前記リードスクリューチャンバの内壁の中にはリミットスライド溝が設置され、前記リミットスライド溝の中にはリミットリングがスライドできるように設置され、前記リミットリングの内壁にはコップ壁が固定的に設置され、前記コップ壁の中には下に開口したネジ山チャンバが左右対称的に設置され、前記リードスクリューチャンバの中にはリードスクリューが設置され、前記コップチャンバの内壁にはガイド溝が左右対称的に設置され、前記ガイド溝の中にはガイドブロックがスライドできるように設置され、前記ガイド溝の上側にはスライドリミットブロックが設置され、前記ガイドブロックの間には上昇ブロックが固定的に設置され、前記上昇ブロックにはティーバッグ機構が設置され、前記上昇ブロックの中には上下を貫通しているネジ山孔が設置され、前記ネジ山孔の中にはネジ山ロッドがネジ山により連結される。
【請求項２】
前記ティーバッグ機構は前記ティーバッグを含み、前記ティーバッグの中には茶チャンバが設置され、前記茶チャンバの内壁には複数個の外部空間に連通している抜き孔が設置され、前記茶チャンバの底壁には上下を貫通している原料装入口が設置され、前記原料装入口の左壁の中にはスライドチャンバが設置され、前記原料装入口の右壁の中には収納溝が設置され、前記スライドチャンバの中には閉鎖板がスライドできるように設置され、前記閉鎖板の左端面と前記スライドチャンバの左壁との間には押圧ばねが連結され、前記閉鎖板の下端面には回しブロックが固定的に設置され、前記閉鎖板の右端が前記収納溝の中に伸びており、これにより前記茶チャンバを閉鎖し、前記ティーバッグの外端面には定位溝が左右対称的に設置され、前記上昇ブロックの中には取り付け溝が設置され、前記取り付け溝の内壁の中にはばねチャンバが左右対称的に設置され、前記ばねチャンバの中には押圧ブロックがスライドできるように設置され、前記押圧ブロックと前記ばねチャンバの内壁との間にはばねが連結され、使用する時に前記回しブロックにより前記閉鎖板を左へスライドさせ、前記原料装入口を通して茶葉を前記茶チャンバの中に入れ、前記ティーバッグを前記取り付け溝の中に力を入れて押し、前記押圧ブロックを前記定位溝の中に挿入して前記ティーバッグを固定することを特徴とする請求項１に記載の自動的にお茶を入れるコップ。
【請求項３】
前記コップ本体の中には動力チャンバが設置され、前記動力チャンバの底壁の中にはモータが固定的に設置され、前記モータの上端には動力軸が動力が伝達できるように連結され、前記動力軸には主プーリが固定的に設置され、前記リードスクリューの下端が前記動力チャンバの中に伸びており、前記リードスクリューの下端には副プーリが固定的に設置され、前記副プーリと前記主プーリとの間がベルトにより連結され、前記主プーリの上端面が前記ネジ山ロッドの下端と固定的に連結され、前記上昇ブロックの上端面には前記モータと電気的に接続される温度センサーが固定的に設置され、水温が茶葉を覚ますことに適した温度以下まで下がった時、前記温度センサーがシグナルを出して前記モータを始動することができることを特徴とする請求項１に記載の自動的にお茶を入れるコップ。
【請求項４】
前記コップ壁の上端には上端面が弧状である密封ブロックが固定的に設置され、前記密封ブロックの上側に蓋が置かれており、前記蓋の下端面には密封溝が設置され、前記密封溝と前記密封ブロックとが当接してより良い密封作用を果たし、前記蓋の下端面には挿入孔が設置され、前記挿入孔の中にはスプラインスリーブが回転できるように設置され、前記ネジ山ロッドが前記スプラインスリーブとスプラインにより結合され、前記蓋の上端面には取っ手が固定的に設置されることを特徴とする請求項１に記載の自動的にお茶を入れるコップ。
【手続補正２】
【補正対象書類名】明細書
【補正対象項目名】全文
【補正方法】変更
【補正の内容】
【発明の詳細な説明】
【技術分野】
【０００１】
本発明はコップ技術分野を取り上げて、具体的には自動的にお茶を入れるコップである。
【背景技術】
【０００２】
茶葉が輸送、貯蔵、加工などの過程を経て、茶葉の中に混ざりものや埃などが入っている可能性があるので、お茶を入れる時、茶葉の中の埃や混ざりものを取り除く必要があり、従来は一般的に「洗茶」の方式を採用し、即ち一煎目をすぐに流して捨てることであり、しかし、お茶を捨てる過程の中、水面に浮かぶ埃や混ざりものがコップの内壁に付けやすいため、二煎目を入れる時にお茶の中には比較的に多い混ざりものが存在し、上記の欠点について、本発明を提出した。
【先行技術文献】
【特許文献】
【０００３】
【特許文献１】中国特許出願公開第１０８６０６５７８号明細書
【発明の概要】
【発明が解決しようとする課題】
【０００４】
上記技術の不足について、本発明は自動的にお茶を入れるコップを提供し、上記欠点を解消することを目的とする。
【課題を解決するための手段】
【０００５】
本発明の自動的にお茶を入れるコップは、コップ本体及び前記コップ本体の中に設置される上に開口したコップチャンバを含み、前記コップ本体の中にはリードスクリューチャンバが設置され、前記リードスクリューチャンバが上に開口しており、前記リードスクリューチャンバの内壁の中にはリミットスライド溝が設置され、前記リミットスライド溝の中にはリミットリングがスライドできるように設置され、前記リミットリングの内壁にはコップ壁が固定的に設置され、前記コップ壁の中には下に開口したネジ山チャンバが左右対称的に設置され、前記リードスクリューチャンバの中にはリードスクリューが設置され、前記コップチャンバの内壁にはガイド溝が左右対称的に設置され、前記ガイド溝の中にはガイドブロックがスライドできるように設置され、前記ガイド溝の上側にはスライドリミットブロックが設置され、前記ガイドブロックの間には上昇ブロックが固定的に設置され、前記上昇ブロックにはティーバッグ機構が設置され、前記上昇ブロックの中には上下を貫通しているネジ山孔が設置され、前記ネジ山孔の中にはネジ山ロッドがネジ山により連結される。
【０００６】
好ましくは、前記ティーバッグ機構は前記ティーバッグを含み、前記ティーバッグの中には茶チャンバが設置され、前記茶チャンバの内壁には複数個の外部空間に連通している抜き孔が設置され、前記茶チャンバの底壁には上下を貫通している原料装入口が設置され、前記原料装入口の左壁の中にはスライドチャンバが設置され、前記原料装入口の右壁の中には収納溝が設置され、前記スライドチャンバの中には閉鎖板がスライドできるように設置され、前記閉鎖板の左端面と前記スライドチャンバの左壁との間には押圧ばねが連結され、前記閉鎖板の下端面には回しブロックが固定的に設置され、前記閉鎖板の右端が前記収納溝の中に伸びており、これにより前記茶チャンバを閉鎖し、前記ティーバッグの外端面には定位溝が左右対称的に設置され、前記上昇ブロックの中には取り付け溝が設置され、前記取り付け溝の内壁の中にはばねチャンバが左右対称的に設置され、前記ばねチャンバの中には押圧ブロックがスライドできるように設置され、前記押圧ブロックと前記ばねチャンバの内壁との間にはばねが連結され、使用する時に前記回しブロックにより前記閉鎖板を左へスライドさせ、前記原料装入口を通して茶葉を前記茶チャンバの中に入れ、前記ティーバッグを前記取り付け溝の中に力を入れて押し、前記押圧ブロックを前記定位溝の中に挿入して前記ティーバッグを固定する。
【０００７】
好ましくは、前記コップ本体の中には動力チャンバが設置され、前記動力チャンバの底壁の中にはモータが固定的に設置され、前記モータの上端には動力軸が動力が伝達できるように連結され、前記動力軸には主プーリが固定的に設置され、前記リードスクリューの下端が前記動力チャンバの中に伸びており、前記リードスクリューの下端には副プーリが固定的に設置され、前記副プーリと前記主プーリとの間がベルトにより連結され、前記主プーリの上端面が前記ネジ山ロッドの下端と固定的に連結され、前記上昇ブロックの上端面には前記モータと電気的に接続される温度センサーが固定的に設置される。
【０００８】
好ましくは、前記コップ壁の上端には上端面が弧状である密封ブロックが固定的に設置され、前記密封ブロックの上側に蓋が置かれており、前記蓋の下端面には密封溝が設置され、前記密封溝と前記密封ブロックとが当接してより良い密封作用を果たし、前記蓋の下端面には挿入孔が設置され、前記挿入孔の中にはスプラインスリーブが回転できるように設置され、前記ネジ山ロッドが前記スプラインスリーブとスプラインにより結合され、前記蓋の上端面には取っ手が固定的に設置される。
【発明の効果】
【０００９】
以上により、本発明は構成が簡単で、操作が便利で、茶葉を本発明の中の指定位置に置いた後で水を入れてお茶を入れることができ、指定温度に達した時、即ち水温が茶葉を覚ますことに適した温度以下まで下がった時、本発明のコップの壁が自動的に下がることができ、同時に活動できるコップの底部が自動的に上昇してコップ内のお茶を押し出し、コップを傾けてお茶を出す時に埃や混ざりものがコップの内壁に付けることを防止し、お茶のきれいさを大幅に向上させる。
【図面の簡単な説明】
【００１０】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１１】
【図１】図１は本発明の自動的にお茶を入れるコップの全体構成模式図
【図２】図２は図１の中のＡ−Ａにおける構成模式図
【図３】図３は図１の中のＢにおける構成模式図
【図４】図４は図１の中のＣにおける構成模式図
【図５】図５は図１の中のＤ−Ｄにおける構成模式図
【発明を実施するための形態】
【００１２】
以下は付図説明と実施例を交えて本発明について更に説明し、本発明の方式は以下の実施例を含むが、これのみに限定されるものではない。    
【００１３】
図１〜５を参照し、本発明装置の自動的にお茶を入れるコップは、コップ本体１０及び前記コップ本体１０の中に設置される上に開口したコップチャンバ１３を含み、前記コップ本体１０の中にはリードスクリューチャンバ１２が設置され、前記リードスクリューチャンバ１２が上に開口しており、前記リードスクリューチャンバ１２の内壁の中にはリミットスライド溝１１が設置され、前記リミットスライド溝１１の中にはリミットリング１４がスライドできるように設置され、前記リミットリング１４の内壁にはコップ壁１７が固定的に設置され、前記コップ壁１７の中には下に開口したネジ山チャンバ１６が左右対称的に設置され、前記リードスクリューチャンバ１２の中にはリードスクリュー１５が設置され、前記コップチャンバ１３の内壁にはガイド溝２４が左右対称的に設置され、前記ガイド溝２４の中にはガイドブロック３９がスライドできるように設置され、前記ガイド溝２４の上側にはスライドリミットブロック２３が設置され、前記ガイドブロック３９の間には上昇ブロック３４が固定的に設置され、前記上昇ブロック３４にはティーバッグ機構１００が設置され、前記上昇ブロック３４の中には上下を貫通しているネジ山孔３５が設置され、前記ネジ山孔３５の中にはネジ山ロッド２２がネジ山により連結される。
【００１４】
有益的には、前記ティーバッグ機構１００は前記ティーバッグ２６を含み、前記ティーバッグ２６の中には茶チャンバ２７が設置され、前記茶チャンバ２７の内壁には複数個の外部空間に連通している抜き孔２５が設置され、前記茶チャンバ２７の底壁には上下を貫通している原料装入口４７が設置され、前記原料装入口４７の左壁の中にはスライドチャンバ４４が設置され、前記原料装入口４７の右壁の中には収納溝４８が設置され、前記スライドチャンバ４４の中には閉鎖板４６がスライドできるように設置され、前記閉鎖板４６の左端面と前記スライドチャンバ４４の左壁との間には押圧ばね４５が連結され、前記閉鎖板４６の下端面には回しブロック４９が固定的に設置され、前記閉鎖板４６の右端が前記収納溝４８の中に伸びており、これにより前記茶チャンバ２７を閉鎖し、前記ティーバッグ２６の外端面には定位溝４３が左右対称的に設置され、前記上昇ブロック３４の中には取り付け溝５０が設置され、前記取り付け溝５０の内壁の中にはばねチャンバ４０が左右対称的に設置され、前記ばねチャンバ４０の中には押圧ブロック４２がスライドできるように設置され、前記押圧ブロック４２と前記ばねチャンバ４０の内壁との間にはばね４１が連結され、使用する時に前記回しブロック４９により前記閉鎖板４６を左へスライドさせ、前記原料装入口４７を通して茶葉を前記茶チャンバ２７の中に入れ、前記ティーバッグ２６を前記取り付け溝５０の中に力を入れて押し、前記押圧ブロック４２を前記定位溝４３の中に挿入して前記ティーバッグ２６を固定する。
【００１５】
有益的には、前記コップ本体１０の中には動力チャンバ５１が設置され、前記動力チャンバ５１の底壁の中にはモータ３１が固定的に設置され、前記モータ３１の上端には動力軸３０が動力が伝達できるように連結され、前記動力軸３０には主プーリ２９が固定的に設置され、前記リードスクリュー１５の下端が前記動力チャンバ５１の中に伸びており、前記リードスクリュー１５の下端には副プーリ３３が固定的に設置され、前記副プーリ３３と前記主プーリ２９との間がベルト３２により連結され、前記主プーリ２９の上端面が前記ネジ山ロッド２２の下端と固定的に連結され、前記上昇ブロック３４の上端面には前記モータ３１と電気的に接続される温度センサー３８が固定的に設置される。
【００１６】
有益的には、前記コップ壁１７の上端には上端面が弧状である密封ブロック１８が固定的に設置され、前記密封ブロック１８の上側に蓋１９が置かれており、前記蓋１９の下端面には密封溝２１が設置され、前記密封溝２１と前記密封ブロック１８とが当接してより良い密封作用を果たし、前記蓋１９の下端面には挿入孔５２が設置され、前記挿入孔５２の中にはスプラインスリーブ５３が回転できるように設置され、前記ネジ山ロッド２２が前記スプラインスリーブ５３とスプラインにより結合され、前記蓋１９の上端面には取っ手２０が固定的に設置される。
【００１７】
上記の自動的にお茶を入れるコップの実現方法は、以下のステップを含む：
【００１８】
使用する時、蓋１９を取り外し、モータ３１を始動し、モータ３１がネジ山ロッド２２を連動させて回転させ、ネジ山ロッド２２が回転して上昇ブロック３４を上昇させ、上昇ブロック３４がスライドリミットブロック２３の下側まで上昇した時、モータ３１を停止し、力を込めてティーバッグ２６を外へ抜き出し、回しブロック４９により閉鎖板４６をスライドさせ、茶葉を原料装入口４７により茶チャンバ２７の中に入れ、茶葉を入れた後でティーバッグ２６を取り付け溝５０の中に力を入れて押し、押圧ブロック４２を定位溝４３に挿入することによりティーバッグ２６を固定し、モータ３１を始動して逆方向へ回転させ、上昇ブロック３４を復帰させ、この時、水を入れることができ、洗茶及び茶葉を覚ますことを行い、水温が茶葉を覚ますことに適した温度以下まで下がった時、温度センサー３８がシグナルを出してモータ３１を始動して、モータ３１が主プーリ２９とベルト３２により副プーリ３３を連動させて回転させ、副プーリ３３がリードスクリュー１５を連動させて回転させてコップ壁１７を下降させ、ネジ山ロッド２２が回転して上昇ブロック３４を上昇させ、これにより、コップ内の水が流出し、洗茶の目的を達成し、水が排出された後、モータ３１が逆方向へ回転してコップ壁１７を復帰させ、上昇ブロック３４が復帰し、この時、再び水を入れてお茶を入れれば良い。
【００１９】
スライドリミットブロック２３を取り外した後で上昇ブロック３４を取り外すことができ、この時、コップを十分に洗浄することができる。
【００２０】
以上により、本発明は構成が簡単で、操作が便利で、茶葉を本発明の中の指定位置に置いた後で水を入れてお茶を入れることができ、指定温度に達した時、即ち水温が茶葉を覚ますことに適した温度以下まで下がった時、本発明のコップの壁が自動的に下がることができ、同時に活動できるコップの底部が自動的に上昇してコップ内のお茶を押し出し、コップを傾けてお茶を出す時に埃や混ざりものがコップの内壁に付けることを防止し、お茶のきれいさを大幅に向上させる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
コップ本体及び前記コップ本体の中に設置される上に開口したコップチャンバを含み、前記コップ本体の中にはリードスクリューチャンバが設置され、前記リードスクリューチャンバが上に開口しており、前記リードスクリューチャンバの内壁の中にはリミットスライド溝が設置され、前記リミットスライド溝の中にはリミットリングがスライドできるように設置され、前記リミットリングの内壁にはコップ壁が固定的に設置され、前記コップ壁の中には下に開口したネジ山チャンバが左右対称的に設置され、前記リードスクリューチャンバの中にはリードスクリューが設置され、且つ前記リードスクリューが回転することで前記コップ壁を降下させられ、前記コップチャンバの内壁にはガイド溝が左右対称的に設置され、前記ガイド溝の中にはガイドブロックがスライドできるように設置され、前記ガイド溝の上側にはスライドリミットブロックが設置され、前記ガイドブロックの間には上昇ブロックが固定的に設置され、前記上昇ブロックにはティーバッグ機構が設置され、前記上昇ブロックの中には上下を貫通しているネジ山孔が設置され、前記ネジ山孔の中にはネジ山ロッドがネジ山により連結され、前記ネジ山ロッドが回転して前記上昇ブロックを上昇させることで、コップ内の水は流れ出る。
【請求項２】
前記ティーバッグ機構は前記ティーバッグを含み、前記ティーバッグの中には茶チャンバが設置され、前記茶チャンバの内壁には複数個の外部空間に連通している抜き孔が設置され、前記茶チャンバの底壁には上下を貫通している原料装入口が設置され、前記原料装入口の左壁の中にはスライドチャンバが設置され、前記原料装入口の右壁の中には収納溝が設置され、前記スライドチャンバの中には閉鎖板がスライドできるように設置され、前記閉鎖板の左端面と前記スライドチャンバの左壁との間には押圧ばねが連結され、前記閉鎖板の下端面には回しブロックが固定的に設置され、前記閉鎖板の右端が前記収納溝の中に伸びており、これにより前記茶チャンバを閉鎖し、前記ティーバッグの外端面には定位溝が左右対称的に設置され、前記上昇ブロックの中には取り付け溝が設置され、前記取り付け溝の内壁の中にはばねチャンバが左右対称的に設置され、前記ばねチャンバの中には押圧ブロックがスライドできるように設置され、前記押圧ブロックと前記ばねチャンバの内壁との間にはばねが連結され、使用する時に前記回しブロックにより前記閉鎖板を左へスライドさせ、前記原料装入口を通して茶葉を前記茶チャンバの中に入れ、前記ティーバッグを前記取り付け溝の中に力を入れて押し、前記押圧ブロックを前記定位溝の中に挿入して前記ティーバッグを固定することを特徴とする請求項１に記載の自動的にお茶を入れるコップ。
【請求項３】
前記コップ本体の中には動力チャンバが設置され、前記動力チャンバの底壁の中にはモータが固定的に設置され、前記モータの上端には動力軸が動力が伝達できるように連結され、前記動力軸には主プーリが固定的に設置され、前記リードスクリューの下端が前記動力チャンバの中に伸びており、前記リードスクリューの下端には副プーリが固定的に設置され、前記副プーリと前記主プーリとの間がベルトにより連結され、前記主プーリの上端面が前記ネジ山ロッドの下端と固定的に連結され、前記上昇ブロックの上端面には前記モータと電気的に接続される温度センサーが固定的に設置され、水温が茶葉を覚ますことに適した温度以下まで下がった時、前記温度センサーがシグナルを出して前記モータを始動することができることを特徴とする請求項１に記載の自動的にお茶を入れるコップ。
【請求項４】
前記コップ壁の上端には上端面が弧状である密封ブロックが固定的に設置され、前記密封ブロックの上側に蓋が置かれており、前記蓋の下端面には密封溝が設置され、前記密封溝と前記密封ブロックとが当接してより良い密封作用を果たし、前記蓋の下端面には挿入孔が設置され、前記挿入孔の中にはスプラインスリーブが回転できるように設置され、前記ネジ山ロッドが前記スプラインスリーブとスプラインにより結合され、前記蓋の上端面には取っ手が固定的に設置されることを特徴とする請求項１に記載の自動的にお茶を入れるコップ。
【手続補正２】
【補正対象書類名】明細書
【補正対象項目名】全文
【補正方法】変更
【補正の内容】
【発明の詳細な説明】
【技術分野】
【０００１】
本発明はコップ技術分野を取り上げて、具体的には自動的にお茶を入れるコップである。
【背景技術】
【０００２】
茶葉が輸送、貯蔵、加工などの過程を経て、茶葉の中に混ざりものや埃などが入っている可能性があるので、お茶を入れる時、茶葉の中の埃や混ざりものを取り除く必要があり、従来は一般的に「洗茶」の方式を採用し、即ち一煎目をすぐに流して捨てることであり、しかし、お茶を捨てる過程の中、水面に浮かぶ埃や混ざりものがコップの内壁に付けやすいため、二煎目を入れる時にお茶の中には比較的に多い混ざりものが存在し、上記の欠点について、本発明を提出した。
【先行技術文献】
【特許文献】
【０００３】
【特許文献１】中国特許出願公開第１０８６０６５７８号明細書
【発明の概要】
【発明が解決しようとする課題】
【０００４】
上記技術の不足について、本発明は自動的にお茶を入れるコップを提供し、上記欠点を解消することを目的とする。
【課題を解決するための手段】
【０００５】
本発明の自動的にお茶を入れるコップは、コップ本体及び前記コップ本体の中に設置される上に開口したコップチャンバを含み、前記コップ本体の中にはリードスクリューチャンバが設置され、前記リードスクリューチャンバが上に開口しており、前記リードスクリューチャンバの内壁の中にはリミットスライド溝が設置され、前記リミットスライド溝の中にはリミットリングがスライドできるように設置され、前記リミットリングの内壁にはコップ壁が固定的に設置され、前記コップ壁の中には下に開口したネジ山チャンバが左右対称的に設置され、前記リードスクリューチャンバの中にはリードスクリューが設置され、且つ前記リードスクリューが回転することで前記コップ壁を降下させられ、前記コップチャンバの内壁にはガイド溝が左右対称的に設置され、前記ガイド溝の中にはガイドブロックがスライドできるように設置され、前記ガイド溝の上側にはスライドリミットブロックが設置され、前記ガイドブロックの間には上昇ブロックが固定的に設置され、前記上昇ブロックにはティーバッグ機構が設置され、前記上昇ブロックの中には上下を貫通しているネジ山孔が設置され、前記ネジ山孔の中にはネジ山ロッドがネジ山により連結される。
【０００６】
好ましくは、前記ティーバッグ機構は前記ティーバッグを含み、前記ティーバッグの中には茶チャンバが設置され、前記茶チャンバの内壁には複数個の外部空間に連通している抜き孔が設置され、前記茶チャンバの底壁には上下を貫通している原料装入口が設置され、前記原料装入口の左壁の中にはスライドチャンバが設置され、前記原料装入口の右壁の中には収納溝が設置され、前記スライドチャンバの中には閉鎖板がスライドできるように設置され、前記閉鎖板の左端面と前記スライドチャンバの左壁との間には押圧ばねが連結され、前記閉鎖板の下端面には回しブロックが固定的に設置され、前記閉鎖板の右端が前記収納溝の中に伸びており、これにより前記茶チャンバを閉鎖し、前記ティーバッグの外端面には定位溝が左右対称的に設置され、前記上昇ブロックの中には取り付け溝が設置され、前記取り付け溝の内壁の中にはばねチャンバが左右対称的に設置され、前記ばねチャンバの中には押圧ブロックがスライドできるように設置され、前記押圧ブロックと前記ばねチャンバの内壁との間にはばねが連結され、使用する時に前記回しブロックにより前記閉鎖板を左へスライドさせ、前記原料装入口を通して茶葉を前記茶チャンバの中に入れ、前記ティーバッグを前記取り付け溝の中に力を入れて押し、前記押圧ブロックを前記定位溝の中に挿入して前記ティーバッグを固定する。
【０００７】
好ましくは、前記コップ本体の中には動力チャンバが設置され、前記動力チャンバの底壁の中にはモータが固定的に設置され、前記モータの上端には動力軸が動力が伝達できるように連結され、前記動力軸には主プーリが固定的に設置され、前記リードスクリューの下端が前記動力チャンバの中に伸びており、前記リードスクリューの下端には副プーリが固定的に設置され、前記副プーリと前記主プーリとの間がベルトにより連結され、前記主プーリの上端面が前記ネジ山ロッドの下端と固定的に連結され、前記上昇ブロックの上端面には前記モータと電気的に接続される温度センサーが固定的に設置される。
【０００８】
好ましくは、前記コップ壁の上端には上端面が弧状である密封ブロックが固定的に設置され、前記密封ブロックの上側に蓋が置かれており、前記蓋の下端面には密封溝が設置され、前記密封溝と前記密封ブロックとが当接してより良い密封作用を果たし、前記蓋の下端面には挿入孔が設置され、前記挿入孔の中にはスプラインスリーブが回転できるように設置され、前記ネジ山ロッドが前記スプラインスリーブとスプラインにより結合され、前記蓋の上端面には取っ手が固定的に設置される。
【発明の効果】
【０００９】
以上により、本発明は構成が簡単で、操作が便利で、茶葉を本発明の中の指定位置に置いた後で水を入れてお茶を入れることができ、指定温度に達した時、即ち水温が茶葉を覚ますことに適した温度以下まで下がった時、本発明のコップの壁が自動的に下がることができ、同時に活動できるコップの底部が自動的に上昇してコップ内のお茶を押し出し、コップを傾けてお茶を出す時に埃や混ざりものがコップの内壁に付けることを防止し、お茶のきれいさを大幅に向上させる。
【図面の簡単な説明】
【００１０】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１１】
【図１】図１は本発明の自動的にお茶を入れるコップの全体構成模式図
【図２】図２は図１の中のＡ−Ａにおける構成模式図
【図３】図３は図１の中のＢにおける構成模式図
【図４】図４は図１の中のＣにおける構成模式図
【図５】図５は図１の中のＤ−Ｄにおける構成模式図
【発明を実施するための形態】
【００１２】
以下は付図説明と実施例を交えて本発明について更に説明し、本発明の方式は以下の実施例を含むが、これのみに限定されるものではない。    
【００１３】
図１〜５を参照し、本発明装置の自動的にお茶を入れるコップは、コップ本体１０及び前記コップ本体１０の中に設置される上に開口したコップチャンバ１３を含み、前記コップ本体１０の中にはリードスクリューチャンバ１２が設置され、前記リードスクリューチャンバ１２が上に開口しており、前記リードスクリューチャンバ１２の内壁の中にはリミットスライド溝１１が設置され、前記リミットスライド溝１１の中にはリミットリング１４がスライドできるように設置され、前記リミットリング１４の内壁にはコップ壁１７が固定的に設置され、前記コップ壁１７の中には下に開口したネジ山チャンバ１６が左右対称的に設置され、前記リードスクリューチャンバ１２の中にはリードスクリュー１５が設置され、且つ前記リードスクリュー１５が回転することで前記コップ壁１７を降下させられ、前記コップチャンバ１３の内壁にはガイド溝２４が左右対称的に設置され、前記ガイド溝２４の中にはガイドブロック３９がスライドできるように設置され、前記ガイド溝２４の上側にはスライドリミットブロック２３が設置され、前記ガイドブロック３９の間には上昇ブロック３４が固定的に設置され、前記上昇ブロック３４にはティーバッグ機構１００が設置され、前記上昇ブロック３４の中には上下を貫通しているネジ山孔３５が設置され、前記ネジ山孔３５の中にはネジ山ロッド２２がネジ山により連結される。
【００１４】
有益的には、前記ティーバッグ機構１００は前記ティーバッグ２６を含み、前記ティーバッグ２６の中には茶チャンバ２７が設置され、前記茶チャンバ２７の内壁には複数個の外部空間に連通している抜き孔２５が設置され、前記茶チャンバ２７の底壁には上下を貫通している原料装入口４７が設置され、前記原料装入口４７の左壁の中にはスライドチャンバ４４が設置され、前記原料装入口４７の右壁の中には収納溝４８が設置され、前記スライドチャンバ４４の中には閉鎖板４６がスライドできるように設置され、前記閉鎖板４６の左端面と前記スライドチャンバ４４の左壁との間には押圧ばね４５が連結され、前記閉鎖板４６の下端面には回しブロック４９が固定的に設置され、前記閉鎖板４６の右端が前記収納溝４８の中に伸びており、これにより前記茶チャンバ２７を閉鎖し、前記ティーバッグ２６の外端面には定位溝４３が左右対称的に設置され、前記上昇ブロック３４の中には取り付け溝５０が設置され、前記取り付け溝５０の内壁の中にはばねチャンバ４０が左右対称的に設置され、前記ばねチャンバ４０の中には押圧ブロック４２がスライドできるように設置され、前記押圧ブロック４２と前記ばねチャンバ４０の内壁との間にはばね４１が連結され、使用する時に前記回しブロック４９により前記閉鎖板４６を左へスライドさせ、前記原料装入口４７を通して茶葉を前記茶チャンバ２７の中に入れ、前記ティーバッグ２６を前記取り付け溝５０の中に力を入れて押し、前記押圧ブロック４２を前記定位溝４３の中に挿入して前記ティーバッグ２６を固定する。
【００１５】
有益的には、前記コップ本体１０の中には動力チャンバ５１が設置され、前記動力チャンバ５１の底壁の中にはモータ３１が固定的に設置され、前記モータ３１の上端には動力軸３０が動力が伝達できるように連結され、前記動力軸３０には主プーリ２９が固定的に設置され、前記リードスクリュー１５の下端が前記動力チャンバ５１の中に伸びており、前記リードスクリュー１５の下端には副プーリ３３が固定的に設置され、前記副プーリ３３と前記主プーリ２９との間がベルト３２により連結され、前記主プーリ２９の上端面が前記ネジ山ロッド２２の下端と固定的に連結され、前記上昇ブロック３４の上端面には前記モータ３１と電気的に接続される温度センサー３８が固定的に設置される。
【００１６】
有益的には、前記コップ壁１７の上端には上端面が弧状である密封ブロック１８が固定的に設置され、前記密封ブロック１８の上側に蓋１９が置かれており、前記蓋１９の下端面には密封溝２１が設置され、前記密封溝２１と前記密封ブロック１８とが当接してより良い密封作用を果たし、前記蓋１９の下端面には挿入孔５２が設置され、前記挿入孔５２の中にはスプラインスリーブ５３が回転できるように設置され、前記ネジ山ロッド２２が前記スプラインスリーブ５３とスプラインにより結合され、前記蓋１９の上端面には取っ手２０が固定的に設置される。
【００１７】
上記の自動的にお茶を入れるコップの実現方法は、以下のステップを含む：
【００１８】
使用する時、蓋１９を取り外し、モータ３１を始動し、モータ３１がネジ山ロッド２２を連動させて回転させ、ネジ山ロッド２２が回転して上昇ブロック３４を上昇させ、上昇ブロック３４がスライドリミットブロック２３の下側まで上昇した時、モータ３１を停止し、力を込めてティーバッグ２６を外へ抜き出し、回しブロック４９により閉鎖板４６をスライドさせ、茶葉を原料装入口４７により茶チャンバ２７の中に入れ、茶葉を入れた後でティーバッグ２６を取り付け溝５０の中に力を入れて押し、押圧ブロック４２を定位溝４３に挿入することによりティーバッグ２６を固定し、モータ３１を始動して逆方向へ回転させ、上昇ブロック３４を復帰させ、この時、水を入れることができ、洗茶及び茶葉を覚ますことを行い、水温が茶葉を覚ますことに適した温度以下まで下がった時、温度センサー３８がシグナルを出してモータ３１を始動して、モータ３１が主プーリ２９とベルト３２により副プーリ３３を連動させて回転させ、副プーリ３３がリードスクリュー１５を連動させて回転させてコップ壁１７を下降させ、ネジ山ロッド２２が回転して上昇ブロック３４を上昇させ、これにより、コップ内の水が流出し、洗茶の目的を達成し、水が排出された後、モータ３１が逆方向へ回転してコップ壁１７を復帰させ、上昇ブロック３４が復帰し、この時、再び水を入れてお茶を入れれば良い。
【００１９】
スライドリミットブロック２３を取り外した後で上昇ブロック３４を取り外すことができ、この時、コップを十分に洗浄することができる。
【００２０】
以上により、本発明は構成が簡単で、操作が便利で、茶葉を本発明の中の指定位置に置いた後で水を入れてお茶を入れることができ、指定温度に達した時、即ち水温が茶葉を覚ますことに適した温度以下まで下がった時、本発明のコップの壁が自動的に下がることができ、同時に活動できるコップの底部が自動的に上昇してコップ内のお茶を押し出し、コップを傾けてお茶を出す時に埃や混ざりものがコップの内壁に付けることを防止し、お茶のきれいさを大幅に向上させる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月23日(2020.4.23)
【手続補正１】
【補正対象書類名】特許請求の範囲
【補正対象項目名】請求項１
【補正方法】変更
【補正の内容】
【請求項１】
コップ本体及び前記コップ本体の中に設置される上に開口したコップチャンバを含み、前記コップ本体の中にはリードスクリューチャンバが設置され、前記リードスクリューチャンバが上に開口しており、前記リードスクリューチャンバの内壁の中にはリミットスライド溝が設置され、前記リミットスライド溝の中にはリミットリングがスライドできるように設置され、前記リミットリングの内壁にはコップ壁が固定的に設置され、前記コップ壁の中には下に開口したネジ山チャンバが左右対称的に設置され、前記リードスクリューチャンバの中にはリードスクリューが設置され、且つ前記リードスクリューが回転することで前記コップ壁を降下させられ、前記コップチャンバの内壁にはガイド溝が左右対称的に設置され、前記ガイド溝の中にはガイドブロックがスライドできるように設置され、前記ガイド溝の上側にはスライドリミットブロックが設置され、前記ガイドブロックの間には上昇ブロックが固定的に設置され、前記上昇ブロックにはティーバッグ機構が設置され、前記上昇ブロックの中には上下を貫通しているネジ山孔が設置され、前記ネジ山孔の中にはネジ山ロッドがネジ山により連結され、前記ネジ山ロッドが回転して前記上昇ブロックを上昇させることで、コップ内の水は流れ出ることを特徴とする自動的にお茶を入れるコップ。